(57)【要約】マルチチャンネルオーディオ装置（１）であって、チャンネルのそれぞれのオーディオ信号を増幅する増幅ユニット（２）と、マルチチャンネルリスニング領域（１０）すなわち「スイートスポット」を形成するようにオーディオ信号の特性を制御する制御ユニット（３）とを有する。制御ユニット（３）は、二人以上のリスナーがマルチチャンネルリスニング領域（１０）に交互に位置するように、第１の位置（Ｉ）と第２の位置（ＩＩ）の間でマルチチャンネルリスニング領域（１０）を連続的に動かすように構成されている。
2008514098.tif 000002
【特許請求の範囲】
【請求項１】
マルチチャンネルオーディオ装置であって、チャンネルのそれぞれのオーディオ信号を増幅する増幅ユニット手段と、マルチチャンネルリスニング領域を形成するようにオーディオ信号の特性を制御する制御手段とを有し、制御手段は第１の位置と第２の位置の間でマルチチャンネルリスニング領域が連続的に動かすように構成されている、装置。
【請求項２】
第１の位置と第２の位置は重ならない、請求項１に記載の装置。
【請求項３】
マルチチャンネルリスニング領域の動きは漸進的である、請求項１に記載の装置。
【請求項４】
マルチチャンネルリスニング領域の動きは実質的に瞬間的である、請求項１に記載の装置。
【請求項５】
マルチチャンネルリスニング領域は、第１の位置と第２の位置の間を１Ｈｚより低い頻度、好ましくは０．５Ｈｚより低い頻度、より好ましくは０．２５Ｈｚより低い頻度で動く、請求項１に記載の装置。
【請求項６】
マルチチャンネルリスニング領域はサウンドレベルを変化させるだけで動き、制御手段は好ましくは増幅手段のゲインを制御するように構成された、請求項１に記載の装置。
【請求項７】
サウンドレベルの変化は顕著である、請求項６に記載の装置。
【請求項８】
制御手段は第１の位置と、第２の位置と、少なくとも１つのさらに別の位置との間でマルチチャンネルリスニング領域を連続的に動かすようにさらに構成されている、請求項１に記載の装置。
【請求項９】
装置に結合されたトランスデューサの位置を決定する位置決定手段をさらに有する、請求項１に記載の装置。
【請求項１０】
請求項１乃至９いずれか一項に記載のマルチチャンネルオーディオ装置を有する、オーディオシステム。
【請求項１１】
マルチチャンネルオーディオ装置により形成されるマルチチャンネルリスニング領域を制御する方法であって、第１の位置と第２の位置の間でマルチチャンネルリスニング領域を連続的に動かす段階を有する、方法。
【請求項１２】
第１の位置と第２の位置は重ならない、請求項１１に記載の方法。
【請求項１３】
マルチチャンネルリスニング領域の動きは漸進的である、請求項１１に記載の方法。
【請求項１４】
マルチチャンネルリスニング領域の動きは実質的に瞬間的である、請求項１１に記載の方法。
【請求項１５】
マルチチャンネルリスニング領域は、１Ｈｚより低い頻度、好ましくは０．５Ｈｚより低い頻度、より好ましくは０．２５Ｈｚより低い頻度で第１の位置と第２の位置の間を動く、請求項１１に記載の方法。
【請求項１６】
マルチチャンネルリスニング領域はサウンドレベルの変化のみにより動かされる、請求項１１に記載の方法。
【請求項１７】
サウンドレベルの変化は顕著である、請求項１６に記載の方法。
【請求項１８】
マルチチャンネルリスニング領域は、第１の位置と、第２の位置と、少なくとも１つのさらに別の位置との間で連続的に動かされる、請求項１１に記載の方法。
【請求項１９】
装置に結合されたトランスデューサの位置を決定する段階をさらに有する、請求項１１に記載の方法。
【請求項２０】
コンピュータに、請求項１１ないし１９いずれか一項に記載の方法を実行させる、コンピュータプログラム。
【発明の詳細な説明】
【技術分野】
【０００１】
本発明は、マルチチャンネルオーディオ制御に関する。特に、本発明は、マルチチャンネルオーディオ装置とマルチチャンネルリスニング領域の位置を制御する方法とに関する。
【背景技術】
【０００２】
いろいろなマルチチャンネルオーディオシステムが知られており、そのうち従来のステレオシステムは２つのチャンネルとそれに対応するトランスデューサ（ラウドスピーカ等）を有し、その２つのチャンネルが一体となってオーディオサウンドを形成している。サウンドレベルまたはその他のオーディオパラメータやオーディオ特性を制御することにより、仮想的オーディオソースを作ることができる。この仮想的オーディオソースは一般的にはトランスデューサの間に位置している。ステレオの空間的効果を完全に発揮させるためには、リスナーはトランスデューサの真ん中あたりの領域にいなければならない。この領域の外側では、２つのチャンネルのうち一方が支配的になり、ステレオ効果が失われてしまう。
【０００３】
最近のオーディオシステムは一般的に５つか６つのチャンネルを有している。これらのチャンネルが一体となってオーディオサウンドを形成する。いわゆる「５．１」マルチチャンネルオーディオシステムにおいては、５つのレギュラーチャンネルと１つの補助（バス）チャンネルがある。かかるシステムは非常に強化された空間的効果を発揮することができるが、有効リスニング領域（「スイートスポット」とも言う）は比較的小さい。リスニング領域がこのように小さいので、リスナーは、空間的効果を完全に楽しむために限定された領域に留まらねばならない。また、二人以上のリスナーがいる場合、マルチチャンネルオーディオシステムの有利性を生かすには、リスナーは互いに非常に近づかねばならない。このような状況が望ましくないことは明らかである。
【０００４】
特許文献１には、オーディオ信号の１つ以上の空間的手がかり（spatial  clues）を変調して仮想的サウンドイメージの明瞭性と知覚される局在性を向上するシステムと方法が開示されている。これらの手がかりは最小可知レベルより下で変化され仮想ソースの位置をリスナーの頭部に対して少し動かす。また、特許文献１のシステムは、クロストークキャンセル用回路等の比較的複雑な回路を必要とする。
【特許文献１】米国特許第６，３０７，９４１号公報
【０００５】
[発明の開示]
本発明の一目的は、複数のマルチチャンネルリスニング領域を形成するマルチチャンネルオーディオ装置を提供することである。
【０００６】
本発明の他の一目的は、複数のマルチチャンネルリスニング領域を形成する、マルチチャンネルオーディオ装置の制御方法を提供することである。
【０００７】
従って、本発明は、マルチチャンネルオーディオ装置であって、チャンネルのそれぞれのオーディオ信号を増幅する増幅ユニット手段と、マルチチャンネルリスニング領域を形成するようにオーディオ信号の特性を制御する制御手段とを有し、制御手段は第１の位置と第２の位置の間でマルチチャンネルリスニング領域が連続的に動かすように構成されている、装置を提供する。
【０００８】
第１の位置と第２の位置の間を動くマルチチャンネルリスニング領域を形成することにより、マルチチャンネルリスニング領域を形成して、各位置でマルチチャンネルオーディオを完全に享受することが可能である。マルチチャンネルリスニング領域を連続的に動かすことにより、各位置に順番に作用することができる。
【０００９】
従って、言い換えると、二人以上のリスナーは、離れた場所にいても、マルチチャンネルオーディオの利益を享受することができる。
【００１０】
他の態様において、クロストークキャンセレーション（cross-talk  cancellation）等の複雑な回路は必要ないことが分かる。クロストークキャンセレーションによりアーティファクトが生じるかも知れない。よって、有利にも、オーディオ装置のコストを下げて、アーティファクトを回避することができる。
【００１１】
制御手段は、チャンネルのそれぞれのレベル及び／または遅延時間等の、オーディオ信号の特性またはパラメータを制御する。より具体的に、制御手段はマルチチャンネルリスニング領域を形成するように、増幅手段を制御する。言い換えると、制御手段は、マルチチャンネルリスニング領域が１つの位置に形成されるように、複数のチャンネルの少なくともゲインを制御できる。このゲイン制御は、直接的であって、個々のアンプ（amplifier）のゲインを変化させることを含むか、間接的であって、チャンネルの振幅を変化させる乗算器その他の振幅制御要素を、好ましくは増幅の前段階に含む。デジタル方式の実施形態では、制御手段はデジタルシグナルプロセッサ（digital  signal  processor）またはマイクロコントローラ（microcontroller）を有してもよい。
【００１２】
２つの位置またはそれぞれの位置におけるマルチチャンネルリスニング領域は部分的に重なって、２つの位置をカバーする単一の拡大されたマルチチャンネルリスニング領域を形成することも可能である。しかし、それでもその位置は制限され、リスナーの位置も制限される。  それゆえ、第１の位置と第２の位置は重ならないことが好ましい。すなわち、制御手段は、マルチチャンネルリスニング領域を異なる位置に形成し、互いに重ならないようにするように構成されてもよい。
【００１３】
第１の実施形態では、本発明の装置は、マルチチャンネルリスニング領域の動きは実質的に瞬間的であるように構成される。それゆえ、この実施形態では、マルチチャンネルリスニング領域は中間領域をカバーせずにその位置の間を動かされる。この実施形態では、マルチチャンネルリスニング領域が各位置にある時間が最大化される。
【００１４】
第２の実施形態では、マルチチャンネルリスニング領域の動きは漸進的である、すなわち、マルチチャンネルリスニング領域は、１つの位置から次の位置に徐々に動き、これらの位置の間の領域もカバーする。
【００１５】
マルチチャンネルリスニング領域が切り替わる頻度は変化してもよい。しかし、マルチチャンネルリスニング領域は、１Ｈｚ（Hertz）より低い頻度で、具体的には０．５Ｈｚより低い頻度で、その位置の間を動くことが好ましい。さらに別の実施形態では、この頻度は０．２５Ｈｚよりも低い。言うまでもなく、０．５Ｈｚの（切り換え）頻度は、マルチチャンネルリスニング領域がすべての位置を動くのに２秒かかることを意味する。さらに好ましくは、切り換え頻度はユーザが制御できる。
【００１６】
マルチチャンネルリスニング領域は、１つ以上のチャンネルの１つ以上のオーディオパラメータ（レベル（振幅）、遅延時間、その他のパラメータを含む）を変化させることにより、動かせる。しかし、本発明では、マルチチャンネルリスニング領域はサウンドレベルの変化のみにより動かされることが好ましい。これにより、チャンネルの制御が非常に単純かつ経済的になり、もっと複雑な方法により生じるアーティファクトを避けることができる。上述のように、チャンネルのサウンドレベルは増幅手段のゲインを制御することにより変化させることができるが、乗算器の使用等、その他の方法も可能である。チャンネルのレベル（ゲイン）を調節するのみではなく、それに加えて、チャンネルの一部または全部をリミックス（remixing）してマルチチャンネルリスニング領域を動かすことができる。
【００１７】
さらに別の態様では、マルチチャンネルリスニング領域の動きを引き起こすサウンドレベルの変化は、リスナーにかろうじて聞こえるものであっても、まったく聞こえないものであってもよい。  これにより、マルチチャンネルリスニング領域の「潜在意識的」動きとなる。しかし、本発明のさらに別の態様によると、サウンドレベルの変化は顕著であってもよい。すなわち、本発明のさらに別の実施形態では、リスナーはマルチチャンネルリスニング領域が動くのを聞き分けられる。驚くべきことに、動きが聞き取れても、一般的にはアーティファクトとは聞こえず、むしろ有利な特徴として聞こえることが分かった。もちろん、動きが聞こえるかどうかはリスナーに依存し、マルチチャンネルリスニング領域が動かされる頻度（切り換え頻度）にも依存する。
【００１８】
本発明の装置は、上述のように、２つの位置の間でマルチチャンネルリスニング領域を動かす。しかし、本発明は、これに限定されず、さらに別の実施形態では、制御手段は第１の位置と、第２の位置と、少なくとも１つのさらに別の位置との間でマルチチャンネルリスニング領域を連続的に動かすようにさらに構成される。マルチチャンネルリスニング領域は、３つ、４つ、５つまたはそれ以上の位置（この位置のすべてが別のものであっても、一部が重複するものであってもよい）にわたって動かされてもよい。
【００１９】
さらにべつの有利な実施形態では、装置に結合されたトランスデューサの位置を決定する位置決定手段をさらに有する。これらの位置決定手段は、ユーザ操作であって、例えばユーザが手作業でトランスデューサの位置を入力してもよいし、完全に自動的であって、例えば各トランスデューサが順番にテストサウンドを発生して、他のトランスデューサのテストサウンドを受信するものであってもよい。
【００２０】
本発明は、上記の装置を有するオーディオシステムも提供する。
【００２１】
また、本発明は、マルチチャンネルオーディオ装置により形成されるマルチチャンネルリスニング領域を制御する方法であって、第１の位置と第２の位置の間でマルチチャンネルリスニング領域を連続的に動かす段階を有する方法を提供する。
【００２２】
本発明は、上記の方法を実行するコンピュータプログラム製品も提供する。コンピュータプログラム製品は、コンピュータプログラムが記録されたＣＤまたはＤＶＤ等のデータ担体であってもよい。コンピュータプログラムは、汎用コンピュータまたは特定目的コンピュータにより実行される複数のプログラムステップを有する。
【発明を実施するための最良の形態】
【００２３】
添付した図面に示した実施形態例を参照して、本発明をさらに説明する。
【００２４】
図１に示した非限定的な実施例に過ぎないオーディオ装置は、オーディオ装置１と一組のトランスデューサユニット４０−４４を有する。マルチチャンネルリスニング領域１０、１０′は、家具アイテム９０の位置にあるように示した。この場合、家具アイテム９０はソファである。
【００２５】
トランスデューサユニット４０−４４は、オーディオ装置１に結合しており、各々が１つ以上のラウドスピーカ等のトランスデューサを有する。図示した実施形態では、５つのトランスデューサユニットが使用されている：中央ユニット４０、左側ユニット４１、右側ユニット４２、左後側ユニット４３、及び右後側ユニット４４である。これらのユニット４０−４４は一体となってサウンドパターンを形成し、そのサウンドパターンが位置Ｉのマルチチャンネルリスニング領域すなわち「スイートスポット」となる。このマルチチャンネルリスニング領域では、オーディオ装置の空間的特性を含む「サラウンド」効果を聴くことができる。マルチチャンネルリスニング領域の外側では、空間的特性は少なくとも部分的には失われてしまう。トランスデューサユニットにより発せられる信号のバランスが崩れるからである。
【００２６】
留意すべきこととして、マルチチャンネルリスニング領域１０は一般的にトランスデューサ４０−４４により画成される領域すなわちベースの中央、図１では家具アイテム９０の中央近くに位置する。振幅パニング（amplitude  panning）等の既知の好適なオーディオ調整方法を用いて、マルチチャンネルリスニング領域１０を図１に示した位置Ｉに再度位置付けることができる。
【００２７】
図１から分かるように、位置Ｉにいるリスナーはマルチチャンネルリスニング領域１０の中にいて、オーディオ装置の利益を完全に享受することができ、特にこの装置の空間的特性を享受することができる。他のリスナーは、位置ＩＩにいると、マルチチャンネルリスニング領域１０の中ではなく、それゆえオーディオ装置の機能を完全に享受することはできない。同様に、リスナーは、位置Ｉから位置ＩＩに移動すると、マルチチャンネルリスニング領域１０の外側に出てしまう。従って、マルチチャンネルリスニング領域１０′が位置ＩＩにある必要がある。しかし、既知の振幅パニング（amplitude  panning）方法によりできるマルチチャンネルリスニング領域は、位置Ｉまたは位置ＩＩのいずれかである。
【００２８】
留意すべきこととして、図示した実施例においては、位置Ｉと位置ＩＩの間には、マルチチャンネルリスニング領域１０と１０′が重なり合わないような距離がある。この距離は重ならないようにする距離より大きければよく、０．５ｍまたは１．０ｍより大きくても、さらには２．０ｍより大きくてもよい。かかる距離を大きくすると、二人のリスナーがマルチチャンネルオーディオを完全に享受することがますます難しくなる。
【００２９】
本発明によると、マルチチャンネルリスニング領域は、図２に概略的に示したように、位置Ｉと位置ＩＩの間を連続的に行ったり来たりする。
【００３０】
このように連続的に動く結果として、マルチチャンネルリスニング領域１０は、ある時は位置Ｉを占め、そして位置ＩＩに移動する。この動きは実質的に瞬間的であってもよいが、好ましくは漸進的なものであり、それにより位置ＩとＩＩの間の領域を移動の間にカバーする。
【００３１】
位置Ｉから位置ＩＩへのマルチチャンネルリスニング領域の漸進的な動きは、段階的でもスムースなものであってもよい。段階的な動きには、区別できる１つ、２つ、３つ、またはそれ以上の中間的な位置が含まれ（図２では４つの中間的位置を示した）、一方、スムースな動きには区別できる中間的位置はない。マルチチャンネルリスニング領域の動きの可能な実施形態を示すため、段階的な例を用いる。
【００３２】
ステップ０（初期位置）において、マルチチャンネルリスニング領域は完全に（１００％）第１の位置Ｉにあり、第２の位置ＩＩにはない。ステップ１（第１のステップ）において、第１の位置におけるマルチチャンネルリスニング領域の強さは８０％に減少し、第２の位置におけるマルチチャンネルリスニング領域の強さが増大する。ステップ２において、第１の位置Ｉにおける強さはさらに減少して６０％になる。ステップ５の後、マルチチャンネルリスニング領域は第２の位置ＩＩにある。
【００３３】
従って、本発明により、第１の位置Ｉから別の第２の位置ＩＩにシフトする。実際には、マルチチャンネルリスニング領域は、２つ以上の位置を行ったり来たりする（留意すべきこととして、マルチチャンネルリスニング領域は３つ、４つ、またはそれ以上の位置の間を移動できる）。移動の速さはマルチチャンネルリスニング領域が位置を変える頻度により決まる。この切り換え頻度は、１Ｈｚ以下でもよく、例えば、０．５Ｈｚ、０．４Ｈｚ、０．２５Ｈｚ、または０．１Ｈｚである。切り換え頻度が０．２５Ｈｚである場合、マルチチャンネルリスニング領域は４秒（＝１／０．２５）で１サイクルを完了する。１サイクルは第１の位置から第２の位置（さらにその先の位置）に行き戻ってくるまでの動きである。この頻度はユーザにより設定されてもよいが、装置１により自動的に調整されてもよい。想定できる実施形態として、切り換え頻度をオーディオ信号のコンテンツに応じて決めることも可能である。ビートが速い歌の場合、かかる実施形態では、比較的ゆっくりしたロマンチックな曲やクラシックの曲よりも、切り換え頻度が高くなる。
【００３４】
各位置（図１と２の位置ＩとＩＩ）において、リスナーはマルチチャンネルリスニング領域がその位置にあるような印象を持つ。マルチチャンネルリスニング領域の動きは、聴いて分かるものであってもよいが、アーティファクト（artifact）には聞こえないことが分かっている。むしろ、多数のリスナーはこの追加的サウンド効果を高く評価している。それは、特に、中央チャンネル（図１、２のトランスデューサ４０）を変化させずに、マルチチャンネルリスニング領域が（図１、２のトランスデューサ４０ー４４に対応する）他のチャンネルの好適な操作により動かされた場合である。
【００３５】
マルチチャンネルリスニング領域の動きは自動的なものであるが、ユーザが調節してもよい。ユーザは、例えば切り換え頻度（switching  frequency）を調節し、位置（図１、２の位置Ｉ、ＩＩ）を設定し、その他の調節をすることができる。想定できることとして、位置に異なる「重み」を与えて、マルチチャンネルリスニング領域が１つの位置に他の位置よりも長く留まってもよい（例えば、５０％ずつではなく、６０％と４０％）。
【００３６】
図２に示したように、動きはリニアであってもよいが、本発明はそれに限定されず、動きが曲がっていてもよい。あるいは、またはそれに加えて、マルチチャンネルリスニング領域を回転させてもよい。
【００３７】
「領域」及び「マルチチャンネルリスニング領域」という用語は、２次元の構成であり、すなわち、すべてのトランスデューサが単一平面内にあると考え得る構成である。しかし、本発明は、これに限定されず、３次元のトランスデューサ装置を用いて「空間」すなわち「マルチチャンネルリスニング空間」が作られる場合に適用することも可能である。「領域」という用語は、ここでは両タイプの構成を指すものとして使用する。
【００３８】
本発明による装置の実施形態を図３に概略的に示した。実施例に過ぎない装置１は、アンプユニット２、制御ユニット３、及びポジショニングユニット６を有する。装置１は、入力端子３０−３４を介してマルチチャンネルオーディオ信号を受け取り、出力端子５０−５４を介して増幅されたオーディオ信号を出力する。これらの出力端子５０−５４にはトランスデューサ４０−４４がそれぞれ結合している。
【００３９】
アンプユニット２は、図示した実施形態では、入力端子３０−３４に結合した５つの被制御アンプ２０−２４を有する。すなわち、再生（render）するマルチチャンネルオーディオ信号の各チャンネルに対して１つのアンプを有する。各アンプ２０−２４のゲインは、制御ユニット３により発生されるそれぞれのゲイン信号Ｇ０−Ｇ４により制御される。
【００４０】
制御ユニット３は、好ましい実施形態において、２つのモードで動作可能である：第１のモードでは、すべてのゲインＧ０−Ｇ４は実質的に同一の値（例えば、値１）であり、第２のモードでは、ゲインＧ０−Ｇ４はマルチチャンネルリスニング領域をはっきりと動かすために連続的に変更される。いずれのモードもモード制御信号Ｍにより選択される。この信号は、例えば、リモートコントロール装置（図示せず）上の好適なボタンを操作することによりユーザが供給する信号である。制御ユニット３は、ユーザ制御信号Ｕ、ポジショニング信号Ｐ、及びボリューム制御信号（図示せず）を受け取ることができる。
【００４１】
ユーザ制御信号Ｕは、リモートコントロールユニットにより発生されて赤外線等の好適なワイヤレス技術を用いて制御ユニットに転送され、切り換え頻度（switching  frequency）（すなわち、マルチチャンネルリスニング領域が所望の位置の間を移動する頻度）その他のユーザパラメータを設定する。
【００４２】
ポジショニング信号Ｐは、ポジショニングユニット６により発生され、マルチチャンネルリスニング領域がカバーすべき位置（図１、２のＩ及びＩＩ）を示す信号である。このために、ポジショニングユニット６は、位置関係情報ＰＩをリモートコントロール装置その他の好適なソース（source）から受け取る。この位置関係情報ＰＩは、トランスデューサ４０−４４のそれぞれの位置と所望のマルチチャンネルリスニング領域の位置に関係し、任意の好適な方法を用いて取得することができる。例えば、各ラウドスピーカがテスト信号を発生し、そのテスト信号をリモートコントロールユニットに記録して、ポジショニングユニットに転送することができる。これらのテスト信号の到着時刻により、リモートコントロールユニットに対するトランスデューサの距離を知ることができる。このテストを両方の所望の位置で実行することにより、ポジショニングユニット６は、すべての所望のリスニング位置に対するトランスデューサの距離を「知る」ことができる。かかる方法は米国特許出願の公開公報第２００３／００３１３３３号「System  and  method  for  optimization  of  three-dimensional  audio」（特に図８を参照）に記載されている。この文献の開示はここに参照援用する。
【００４３】
あるいは、またはそれに加えて、それぞれのトランスデューサ４０−４４とリスナーの空間的位置を表す情報をテレビジョン装置またはコンピュータスクリーン上に表示してもよい。表示手段を設けて、ユーザがトランスデューサ及び／またはリスナーの空間的位置を示し、表示されたトランスデューサ及び／またはリスナーの位置に基づき、前記位置関係情報ＰＩを提供してもよい。スクリーン上でこれらの位置を仮想的に動かすことにより、オーディオ装置において好適なサウンド調整がなされる。
【００４４】
制御ユニット３は、この位置関係情報ＰＩを用いて、オーディオチャンネルにより形成されるマルチチャンネルリスニング領域が所望の位置Ｉ、ＩＩの間を自動的に移動するように、ゲインＧ０−Ｇ４を制御する。図３の実施形態において、かかる制御はゲインの変更のみにより実現される。もちろん、遅延時間等のその他のオーディオ信号特性を変化させることも可能であるが、かかる方法によりアーティファクト（artifacts）が生じることがある。マルチチャンネルリスニング領域を動かすためのみにゲインを変化させることは、比較的単純であり経済的である。図３の実施形態において、クロストークキャンセレーションは実施していないが、これによりアーティファクトが発生するからである。
【００４５】
留意すべきこととして、５．１システム等の典型的な５チャンネルシステムにおいては、中央トランスデューサ４０（図１、２参照）のサウンドレベルは一定である。すなわち、中央トランスデューサ４０は、マルチチャンネルリスニング領域の移動には関係しない。従って、ゲイン制御信号Ｇ０は一定であり、例えば１である。それゆえ、実施形態によっては、中央トランスデューサ４０に対応するアンプ２０は省略して、スルー（through  connection）としてもよい。
【００４６】
さらに留意すべきこととして、図３のアンプ２０−２４は、各オーディオチャンネルに対応するゲインＧ０−Ｇ４を乗算する乗算器等のその他の要素と置き換えることもできる。マルチチャンネルリスニング領域を動かすようにチャンネルの振幅を制御する方法は、本発明に対して本質的ではない。チャンネルの振幅を制御するのに加えて、またはその替わりに、遅延を制御してもよい。それゆえ、アンプ２０−２４は被制御遅延要素（controlled  delay  elements）と置き換えることもできる。
【００４７】
図示した構成要素に加えて、オーディオ装置１は、さらに、フィルタ、（アンプ２０−２２４と直列に配置されたパワーアンプ等の）追加のアンプ、１つ以上のパワーサプライ、及び／または図面を分かりやすくするために図３には示さなかったその他の構成要素を有してもよい。装置１は、完全なアンプユニットを形成するようにその他の構成要素を有してもよいし、従来のアンプユニットと併せて使用する前処理ユニットまたは後処理ユニットとして設計してもよい。
【００４８】
本発明の装置１の別の実施形態を図４に概略的に示した。図４の実施形態は、図３の振幅制御方式の替わりとして、またはそれに加えて、チャンネルをリミックス（remix）するように設計されている。
【００４９】
図４の実施形態例において、６つのチャンネルが使用される：中央チャンネルＣ、バスチャンネルＢ（サブウーファすなわち「．１」）、左側チャンネルＬ、右側チャンネルＲ、左サラウンドチャンネルＬｓ、右サラウンドチャンネルＲｓ。これらのチャンネルはそれぞれ入力端子３０−３５において受け取られる。好適なリミックス（remixing）の後、これらのチャンネルは出力端子５０−５４に出力される。
【００５０】
図示した実施形態では、中央チャンネルＣとバスチャンネルはリミックスされていない。それらは図３に示したように、それぞれアンプ２０、２１により増幅される。図４に示したすべてのアンプは、好適な制御ユニット（図３の３）により制御された可変ゲインを有してもよい。中央チャンネルＣをリミックスしないので、マルチチャンネルリスニング領域の移動がアーティファクトとして感じられないという有利性がある。バスチャンネルＢは低周波数なので、知覚されるサウンドの方向にはほとんど寄与しないので、バスチャンネルをリミックスする必要はない。
【００５１】
左チャンネルＬは、図３に示したように、アンプ２２で最初に増幅され、この増幅はゲイン制御される。増幅された左チャンネル信号は３つの並列なアンプ２２１、２２２、２２３（それぞれ加算ユニット８２、８３、８４に結合している）に入力され、右チャンネルＲ、左チャンネルＬ、及び左サラウンドチャンネルＬｓ（すなわち、２つの隣接するチャンネルと左チャンネル自体と）に寄与する。これらのアンプ２２１−２２３のゲインは、制御ユニット（図４には図示せず）により制御され、チャンネルの好適な（リ）ミックス（（re-）mixing）を実現し、マルチチャンネルリスニング領域を所望のように移動させる。留意することとして、図示した実施形態では、各チャンネルはそれ自体と２つのすぐ隣のチャンネルにリミックスされるが、対向するチャンネルにはリミックスされない（図１と２では、トランスデューサ４１により再生される左チャンネルＬはトランスデューサ４２と４３により再生される隣接チャンネルＲとＬｓを有するが、対向するチャンネルＲｓはトランスデューサ４４により再生される）。
【００５２】
同様に、右側チャンネルＲは全体的なゲイン調整をするアンプ２３を用いてリミックスされ、マルチチャンネルリスニング領域の移動をするように、さらに別のアンプ２３１、２３２、２３３が右側チャンネルＲをチャンネルＬ、Ｒ、Ｒｓに選択的に加算する。サラウンドチャンネルＬｓとＲｓは同様の処理である。その結果、リミックス（remixing）されたチャンネルが出力端子５０−５５に出力される。
【００５３】
言うまでもなく、ゲイン制御されたアンプではなく、固定ゲインアンプと信号乗算器（signal  multipliers）を使用することができる。乗算器はオーディオチャンネルに調整（ゲイン）信号を乗算するように構成されている。デジタル方式の実施形態では、ゲイン調整とリミックスはデジタルシグナルプロセッサまたはマイクロコントローラにより実行できる。当業者には明らかであるが、デジタル方式の実施形態では、好適なＡ／Ｄ（アナログ／デジタル）コンバータとＤ／Ａ（デジタル／アナログ）コンバータが必要である。
【００５４】
本発明によるオーディオシステムを図５に概略的に示した。オーディオシステム７０は、上記のオーディオ装置１に結合したオーディオソース７を有する。オーディオソース７とオーディオ装置１の結合には、マルチワイヤのパラレルケーブルを使用してもよい。あるいは、好適なワイヤレス接続を用いることもできる。トランスデューサ４０−４４はオーディオ装置１に結合される。
【００５５】
オーディオソース７は、ＣＤプレーヤ、ＤＶＤプレーヤ、デスクトップまたはラップトップコンピュータ、ラジオチューナ、テレビジョンチューナ、インターネット端末、その他のオーディオソースである。オーディオ装置１は、上述のように、マルチチャンネルリスニング領域の位置を自動的に変化させるように構成されている。オーディオシステム７０は、さらに、追加的トランスデューサ及び／または追加的オーディオソース等の、図５に示さない追加的構成要素をさらに有してもよい。
【００５６】
本発明は、マルチチャンネルリスニング領域の位置を交互に移動することにより、２つ以上のマルチチャンネルリスニング領域１０、１０′を形成できるとの洞察に基づいている。本発明は、さらに、マルチチャンネルリスニング領域を交互の位置に形成することは、チャンネルのサウンドレベルを変化させるだけで実現でき、サウンドレベルの変化は聞こえてもよいとの洞察に基づくものである。
【００５７】
留意すべきことは、本明細書で使用した用語は、本発明の範囲を限定するものとして解釈してはならないことである。特に、「有する」という用語は、特に記載されていないいかなる要素をも排除するものではない。単一の（回路）要素を複数の（回路）要素またはその等価物で置き換えることもできる。本明細書で使用したマルチチャンネルとの用語は、複数の（すなわち、２つ以上の）チャンネルを有する装置、システム、または方法を指し、「ステレオ」及び「５．１」との用語に限定されない。
【００５８】
当業者には当然のことながら、本発明は上記の実施形態に限定されるものではなく、添付した請求項に記載した本発明の範囲から逸脱することなく、多くの修正や追加をすることができる。
【図面の簡単な説明】
【００５９】
【図１】２つの可能なマルチチャンネルリスニング領域を有するオーディオ装置を示す概略図である。
【図２】２つの仮想的な同時マルチチャンネルリスニング領域を有する、本発明によるオーディオ装置を示す概略図である。
【図３】本発明によるオーディオ装置の第１の実施形態を示す概略図である。
【図４】本発明によるオーディオ装置の第２の実施形態を示す概略図である。
【図５】本発明によるオーディオ装置を有するオーディオシステムを示す概略図である。
【図１】
2008514098.tif 000003
【図２】
2008514098.tif 000004
【図３】
2008514098.tif 000005
【図４】
2008514098.tif 000006
【図５】
2008514098.tif 000007
【国際調査報告】
2008514098.tif 000008
2008514098.tif 000009